(57)【特許請求の範囲】
【請求項１】
アースオーガの下端に接続され、径方向外側に伸縮可能な拡径翼を備えてなる拡大ヘッドに設けられる土中試料の採取装置であって、
外管と該外管の内側に収納される内管とからなり、該内管の一方の端部外周面に土中試料を採取するための窓孔を形成し、また、該内管の他方の端部側底部には採取した土中試料が取り出せるよう蓋体を設け、
この外管・内管による採取装置に油圧シリンダ機構を並列させ、該内管は油圧シリンダ機構の伸縮に連動して前記外管から出没し、該出没によって前記窓孔も前記外管から出入するようにし、
土中試料の採取装置および内管の駆動用油圧シリンダ機構は拡大ヘッド駆動軸に設け、また、拡大ヘッド駆動軸にスパイラル翼を設け、縮小時の採取装置はその旋回範囲内に収めるようにしたことを特徴とする土中試料の採取装置。
【請求項２】
採取装置の内管の窓孔は、内管の周壁を内管の軸心に対して４分割したうち、上部の１つを円弧で切り欠いて形成する上向きの開口である請求項１記載の土中試料の採取装置。
【請求項３】
請求項１の土中試料の採取装置を使用し、杭施工における拡大根固め球根に根固め液を充填し終わった直後の未硬化状態の土中試料の採取方法であって、拡大ヘッドをアースオーガ下端に接続し、拡径翼を縮径させたまま拡大ヘッドを正転させて掘進し、地盤内の所定の深度で該拡大ヘッドの拡径翼を拡径させて拡大根固め球根の拡大掘削を行うとともに根固め液を充填し、
その後、外管・内管による採取装置の内管を油圧シリンダ機構の伸長に連動させて前記外管から出現させ、
該拡大ヘッドを正転させて前記窓孔より前記土中試料を前記内管内に取り込み、
その後、前記油圧シリンダ機構を縮小させて前記内管を前記外管内に収納することにより、取り込んだ土中試料を内管内に保持したまま前記拡大ヘッドを地上に引き上げ、内管の端部側底部に設けられた蓋体をはずして前記内管内の土中試料を回収することを特徴とする土中試料の採取方法。
【発明の詳細な説明】
【技術分野】
【０００１】
本発明は、アースオーガの下端に接続される拡大ヘッドに設けて、杭施工における拡大根固め球根に根固め液を充填し終わった直後の未硬化状態の土中試料を、地盤中の原位置（採取したい位置）においてピンポイントで採取するための土中試料の採取装置および採取方法に関するものである。
【背景技術】
【０００２】
埋込み杭工法における支持力発現方法は、拡大根固め球根を築造し、この拡大根固め球根に杭先端部を設置することにより一体化を図ることが一般的である。
【０００３】
最近の高支持力杭工法の開発はめざましく、特に大きな支持力を得るためには、より大きな拡大根固め球根を機械的に拡大掘削し、より品質の高い拡大根固め球根を築造することが重要となっている。そのため、拡大根固め球根から試料を採取し、強度、品質、均一性等を確認する必要がある。
【０００４】
ところが、拡大根固め球根は地下深く（例えば、１０〜８０ｍ程度）、掘削孔が横方向に拡大されて築造されることから拡大した任意の箇所からの試料を採取し難く、また、採取したい試料をピンポイントで採取し、他の箇所の充填物、不純物等が混入することなく採取した試料のみを回収することが難しかったので、該拡大根固め球根の様々な箇所（特に掘削孔の側壁付近）の原位置で、決められた強度品質のものが築造できているかどうかを、精度良く直接確認できる有効な手法が求められる。
【０００５】
すなわち、拡大根固め球根に用いる根固め液（例えば、水セメント比＝５０〜１００％程度のセメントミルク）は、拡大掘削した該球根部に掘削ロッドやビット部分を介して所定量が注入される。その場合、原位置の一部土砂と根固め液とが攪拌混合されて拡大根固め球根として強度発現することになるが、これが必要強度を満足しているか否かを明確にしなければならない。
【０００６】
現状では、例えば、セメントと水とをプラントで混練して得られた根固め液としての注入前のセメントミルクを採取して強度確認用供試体を作成し、圧縮強度試験等を実施して便宜的に強度確認をしていることが多い。
【０００７】
しかし、前記のような問題の一部解決を図った特許技術も散見される。例えば、下記特許文献１には、オーガスクリューと一体に回転し、かつ、前記オーガスクリュー下端部に設けた開閉自在な拡大翼が開翼すると土砂採取口が開かれ、閉翼するとシャッターにより前記土砂採取口が閉じられる土砂採取用のパイプを使用して掘削孔中のサンプル土砂を採取することを特徴とする土砂等のサンプル採取方法と、オーガスクリュー下端部に設けた開閉自在な拡大翼と、該拡大翼に水平に取り付けられ、且つ、土砂採取口を一端に有する土砂採取用のパイプと、前記オーガスクリュー下端部における前記パイプの土砂採取口と対応する位置に設けられたシャッターとを備え、前記拡大翼が閉翼しているときには前記パイプの土砂採取口を閉じ、開翼すると前記土砂採取口が前記シャッターから外れて開くように構成されたことを特徴とする土砂等のサンプル採取装置が示されている。
【特許文献１】特開２００６−２４１８２８号公報
【０００８】
前記土砂採取用のパイプは、一端はシャッターにより閉塞される土砂採取口として開口し、他端は水だけを抜いて土砂は残すようにメッシュ（金網）で閉じられ、土砂採取口をオーガスクリューの回転方向に向けた状態にして取り付けている。
【０００９】
拡大翼が開翼すると、拡大翼と共にパイプの土砂採取口がシャッターの前から移動して、パイプの土砂採取口が開く。
【００１０】
この方法や装置によれば、拡大翼を開いて杭径以上の拡底球根を築造するとき、土砂採取口が開かれ、オーガスクリューが回転すると拡大翼で掘削された箇所の土砂が、オーガスクリューと一体に回転しているパイプ内に採取される。拡大翼での掘削が終わって拡大翼が閉じられると、土砂採取口もシャッターで閉じられ、土砂採取口が閉じられた後はオーガスクリューを引き上げても、引き上げ途中でパイプ内の土砂が溢れたり、あるいは別の土砂がパイプ内に入ったりすることもない。
【００１１】
下記特許文献２は前記特許文献１と同様に、土砂採取用のパイプをアースオーガの下端に接続する拡大ヘッドに設けるもので、図９〜図１１に示すように、外管１１とその内側に収納され弁付き窓孔１５のある内管１２とからなる二重管構造の採取装置１０をシリンダ機構６（シリンダ６ａ、ロッド６ｂ）により伸縮する拡径翼３の軸部２（本体部分）に取り付けた。
【特許文献２】特開２０１１−１０６１３７号公報
【００１２】
採取装置１０の内管１２の先端部は拡径翼３のロッド部分に取り付けられ、拡径翼を拡径させることで連動して内管１２が外管１１から突出して窓孔１５が露出する。
【００１３】
このようにして、拡大ヘッドを所定方向に回転させることで採取試料の圧力で窓孔の弁１６が押されて内管１２内に試料が取り込まれる。拡径翼３を縮径させることで内管１２は外管１１内に収納され、密閉状態で採取試料を回収する。
【００１４】
前記拡径翼３は軸部２を挟んで互いに逆方向に伸縮可能な一対が設けられ、下端には先端ビット４ａを複数備えた掘削刃４を有し、その上方に掘削土砂を上方に押し上げるスパイラル翼５が設けられる。また、ロッド６ｂの先端には主として拡大根固め球根の掘削のための掘削爪６ｃが設けられている。
【００１５】
拡大ヘッド１の上端は雄継手７が形成されアースオーガ等のロッドに接続できるようになっている。また、軸部２にはアースオーガ等のロッドの配管と接続される配管が設けられており、下端部の吐出口から掘削液や根固め液を吐出できるようになっている（図示省略）。
【００１６】
採取装置１０の反対側の端部は採取した土中試料の取出口となっており蓋体１４がある。
【００１７】
油圧により拡径翼３を拡径させると、ロッド６ｂの伸長に連動して採取装置１０の内管１２が外管１１から突出する。この状態で拡大ヘッド１を正回転させて拡大掘削は進められるが、その間は内管１２の窓孔は弁により閉じているので掘削孔内の掘削土砂等が内管１２内に流れ込むことはない。
【００１８】
土中試料の採取は、以下の工程で行われる。図１１に示すように、アースオーガ１０２などの掘削機械を用い、先端に取り付けた拡大ヘッド１の拡径翼３を閉縮させた状態で、ロッド１０５を正回転させて、所定深度まで杭孔１０１を掘削する。拡径翼３の下部には、採取装置１０が設けられている。
【００１９】
アースオーガ１０２の下端に接続した拡大ヘッド１に内蔵されている油圧シリンダ機構により拡径翼３を油圧で径方向外側（横方向）にさせると、拡径翼３の下部に設けられている採取装置１０の内管が外管から突出する（内管に設けられている弁付き窓孔は露出するが、窓孔の内側にある弁で窓孔は閉じている。）。この状態で、ロッド１０５を正回転させて、拡大根固め球根１０３の拡大掘削を行う。
【００２０】
拡径翼３を拡径させたまま、拡大ヘッド１を正回転させながら、拡大ヘッド１の先端部からセメントミルクなどの根固め液１０４を吐出して拡大根固め球根１０３に充填し、拡大根固め球根１０３の築造を行う。
【００２１】
根固め液１０４を拡大根固め球根１０３に充填している途中もしくは充填し終わった直後の根固め液１０４（土中試料）を採取しようとする時点で、拡径翼３を拡径したまま（採取装置１０の内管を外管から突出させ、内管の弁付き窓孔を露出させたまま）ロッド１０５を逆回転する。
【００２２】
すると、弁付き窓孔の内側に設けられている弁が根固め液１０４の回転による押圧により内管の内側に傾いて窓孔が開き、根固め液１０４が採取装置１０の内管内に流れ込むので、根固め液１０４が採取装置１０により採取される。
【００２３】
予定の土中試料採取が終了したら、拡径翼３を縮径すると、採取装置１０の内管は外管内に収納され、内管の弁付き窓孔も外管により蓋がされる。したがって、採取された土中試料は、内管内に密閉保持される。この状態でアースオーガ１０２とともに拡大ヘッド１を地上に引き上げ、その後、内管後端部の蓋体を開けて採取した土中試料を回収する。
【発明の概要】
【発明が解決しようとする課題】
【００２４】
前記特許文献１や特許文献２では採取装置の開閉を拡大翼（拡径翼）の開閉に連動させるものであり、採取装置を土中試料の採取ができるようにするには、拡大翼（拡径翼）の開く必要がある。そして、拡大ヘッドを回転させことで土中試料を取り込むが、拡大翼（拡径翼）で試料が乱された状態で行わなければならない。また、拡大翼（拡径翼）での掘削と同時に採取装置で土中試料の採取を行うのでは、採取装置に過度の負荷がかかり、適正かつ効率の良い採取ができない。
【００２５】
さらに、採取口はシャッターや弁で閉じるもので、その開閉も制御が面倒である。
【００２６】
これに加えて、掘削、根固め、土中試料の採取と工程別に拡大ヘッドの正転・逆転を行わなければならず、その作業も複雑となる。
【００２７】
本発明の目的は前記不都合を解消し、アースオーガの下端に接続され、径方向外側に伸縮可能な拡径翼を備えてなる拡大ヘッドに設けられる土中試料の採取装置であって、土中試料の採取装置の採取用の開閉と拡径翼の開閉を別個に行えるようにして、土中試料に対する拡径翼のかく乱を防止し、採取装置に過度の負荷がかかることもなく、しかも、拡大ヘッドは逆転を必要としない一方向のみの正転ですむ土中試料の採取装置および採取方法を提供することにある。
【課題を解決するための手段】
【００２８】
請求項１記載の本発明は前記目的を達成するため、アースオーガの下端に接続され、径方向外側に伸縮可能な拡径翼を備えてなる拡大ヘッドに設けられる土中試料の採取装置であって、外管と該外管の内側に収納される内管とからなり、該内管の一方の端部外周面に土中試料を採取するための窓孔を形成し、また、該内管の他方の端部側底部には採取した土中試料が取り出せるよう蓋体を設け、この外管・内管による採取装置に油圧シリンダ機構を並列させ、該内管は油圧シリンダ機構の伸縮に連動して前記外管から出没し、該出没によって前記窓孔も前記外管から出入するようにし、土中試料の採取装置および内管の駆動用油圧シリンダ機構は拡大ヘッド駆動軸に設け、また、拡大ヘッド駆動軸にスパイラル翼を設け、縮小時の採取装置はその旋回範囲内に収めるようにしたことを要旨とするものである。
【００２９】
請求項１記載の本発明によれば、採取装置は、このように油圧シリンダ機構により、拡径翼の伸縮に連動なしに、拡大根固め球根に根固め液を充填し終わった直後の未硬化状態の土中試料を採取することができる。拡大根固め球根の様々な箇所（特に掘削孔の側壁付近でも）の任意の原位置においてピンポイントで採取でき、かつ、採取した土中試料を他の充填物（不純物等）と混ぜることなく回収することができる。その際、拡径翼は縮小されているので、拡大ヘッドを回転させても拡径翼で土中試料をかく乱することもない。
【００３０】
更に、該内管の端部側底部には採取した土中試料が取り出せるよう蓋体が設けられているので、回収した試料を容易に取り出せる。ここでいう土中試料は、セメントミルク等の根固め液や根固め液と掘削土砂との混合物が主たるものであるが、これらに限らず、杭周固定液、掘削泥水、掘削土等も含まれる。
【００３１】
更に、拡大ヘッドに掘削土砂送り用のスパイラル翼を設けるのに、土中試料の採取装置および内管の駆動用油圧シリンダ機構はこれに干渉せず、かつ、共存することで、全体をコンパクトにすることができる。
【００３２】
請求項２記載の本発明は、採取装置の内管の窓孔は、内管の周壁を内管の軸心に対して４分割したうち、上部の１つを円弧で切り欠いて形成する上向きの開口であることを要旨とするものである。
【００３３】
請求項２記載の本発明によれば、このように採取装置の内管の窓孔を形成することで、拡大ヘッド１を回転させたときに採取装置も回転し、土中試料が前記窓孔より内管に取り込まれ、かつ、そのまま内部に保留される。
【００３４】
請求項３記載の本発明は、請求項１の土中試料の採取装置を使用し、杭施工における拡大根固め球根に根固め液を充填し終わった直後の未硬化状態の土中試料の採取方法であって、拡大ヘッドをアースオーガ下端に接続し、拡径翼を縮径させたまま拡大ヘッドを正転させて掘進し、地盤内の所定の深度で該拡大ヘッドの拡径翼を拡径させて拡大根固め球根の拡大掘削を行うとともに根固め液を充填し、その後、外管・内管による採取装置の内管を油圧シリンダ機構の伸長に連動させて前記外管から出現させ、該拡大ヘッドを正転させて前記窓孔より前記土中試料を前記内管内に取り込み、その後、前記油圧シリンダ機構を縮小させて前記内管を前記外管内に収納することにより、取り込んだ土中試料を内管内に保持したまま前記拡大ヘッドを地上に引き上げ、内管の端部側底部に設けられた蓋体をはずして前記内管内の土中試料を回収することを要旨とするものである。
【００３５】
請求項３記載の本発明によれば、前記請求項１の作用に加えて、拡大ヘッドを逆転させること無く、すべて正転動作で行うことができ、一方向のみの回転ですむので面倒がないものである。
【発明の効果】
【００３６】
以上述べたように本発明の土中試料の採取装置および採取方法は、アースオーガの下端に接続され、径方向外側に伸縮可能な拡径翼を備えてなる拡大ヘッドに設けられる土中試料の採取装置として、土中試料の採取装置の採取用の開閉と拡径翼の開閉を別個に行えるようにして、土中試料に対する拡径翼のかく乱を防止し、採取装置に過度の負荷がかかることもなく、しかも、拡大ヘッドは逆転を必要としない一方向のみの正転ですむものである。
【発明を実施するための最良の形態】
【００３７】
以下、図面について本発明の実施の形態を詳細に説明する。図１は本発明の土中試料の採取装置の１実施形態を示す縦断側面図、図２は図１のＡ−Ａ線矢視図で、前記従来例を示す図９〜図１１と同一構成要素には同一参照符号を付したものである。
【００３８】
図中１は拡大ヘッドであり、図７に示すようにアースオーガ１０２などの掘削機械の先端に取り付けられ、伸縮する拡径翼２２を有する。
【００３９】
拡大ヘッド１は下端には先端ビット４ａを複数備えた掘削刃４を有し、その上方に掘削土砂を上方に押し上げるスパイラル翼５が設けられ、更にその上方に軸部２を挟んで互いに逆方向に伸縮可能な一対の攪拌用の拡径翼２２が設けられている。
【００４０】
アースオーガ１０２などの掘削機械は杭１０６の中堀機として使用されるもので、三点機１０７のリーダー１０８に吊支される。図中１０９は駆動機（オーガ）、１１０は油圧スイベル（４ライン）、１１１はスクリュー軸である。
【００４１】
拡大ヘッド１の上端には雄継手７が形成されアースオーガ等のスクリュー軸１１１に接続できるようになっている。また、軸部２にはスクリュー軸１１１の配管と接続される配管３０が設けられており、下端部の吐出口３１から掘削液や根固め液を吐出できるようになっている。
【００４２】
拡径翼２２は、軸部２を外筒２０と、外筒２０をシリンダーとしてその内部を摺動するピストン２１に形成し、外筒２０に誘導自在に設ける。拡径翼２２は、拡大アーム２２ａにビット２２ｂを設けたもので、根本にカム部２２ｃを形成する。
【００４３】
このカム部２２ｃを外筒２０の取付ブラケット２３に軸支し、一方、ピストン２１の外周にはカム部２２ｃの係合突起が嵌る係合凹部２４を形成した。
【００４４】
このようにして、ピストン２１の上下動に応じて、カム部２２ｃが回動し、拡径翼２２が開閉する。
【００４５】
図中２５ａは拡大アーム２２ａの縮小油圧ポートライン、２５ｂは拡大アーム２２ａの拡大油圧ポートラインである。
【００４６】
採取装置１０は、拡径翼２２の上部に設けられる。採取装置１０は拡径翼２２より内側に入る形で設けられるのが拡大ヘッドの構造がコンパクトになり拡大掘削時にも掘削の邪魔にならないので好ましい。
【００４７】
採取装置１０は、外管１１の内側に窓孔１２ａのある採取パイプとしての内管１２（以下、単に内管という）が収納される二重管構造（円管に限らず角管でもよい）となっており、これら外管１１と内管１２は拡大ヘッド１に取り付けられる。
【００４８】
窓孔１２ａは、弁付きのものではなく、図３に示すように、内管１２の周壁を内管１２の軸心に対して４分割したうち、上部の１つ約９０°の円弧で切り欠いて形成する上向きの開口である。このように窓孔１２ａを形成することで、拡大ヘッド１を回転させたときに採取装置１０の内管１２も回転し、土中試料が前記窓孔１２ａより内管１２内に取り込まれ、かつ、そのまま内部に保留される。
【００４９】
拡径翼２２の上部に並ぶ形で、軸部２を挟み、前記外管１１と内管１２からなる採取装置１０とシリンダ２７ａおよびロッド２７ｂからなる油圧シリンダ機構２７を取り付け板８により並列させ、外管１１が軸部２（本体部分）に取り付けられており、内管１２の先端部が連結アーム１３を介して油圧シリンダ機構２７のロッド２７ｂの先端部と繋がっている。
【００５０】
採取装置１０の反対側の端部は採取した土中試料の取出口となっており、ここに蓋体１４がある。
【００５１】
前記採取装置１０および油圧シリンダ機構２７は拡大ヘッド１の軸部２に取り付け板８を介して設けるが、この部分の拡大ヘッド１の軸部２にスパイラル翼２８を設け、スパイラル翼２８で採取装置１０および油圧シリンダ機構２７を覆うようにして、縮小時の採取装置１０はその旋回範囲内に収めたるようにした。該スパイラル翼２８は上下に半旋回ひねりづつ羽根を広げて、上下端縁２８ａは直線水平辺としたものである。
【００５２】
次に使用法および動作について説明する。図７、図８に示すように、拡径翼２２を閉じた状態で、アースオーガ１０２のスクリュー軸１１１および拡大ヘッド１で掘削しながら杭１０６を建て込む。閉じた状態の拡大ヘッド１は掘削刃４の先端ビット４ａで掘削する。その際、スパイラル翼２８は掘削刃４で掘削された土砂を上方に送り、スクリュー軸１１１に渡す役割をなす。
【００５３】
杭１０６を所定長建て込んだところで、杭１０６の進行を止め、拡大ヘッド１のみを下降および上昇させ、その際、油圧によりピストン２１の動きで拡径翼２２を拡径させ、この状態で、掘削孔内に根固め液を注出してロッド１０５を正転させて、拡大根固め球根１０３の拡大掘削を行う。
【００５４】
この状態までは、外管１１と内管１２の二重管構造である採取装置１０は、内管１２は外管１１に対し、スムーズに出入できる隙間を残して外管１１内に収まっている。外管１１は鋼製の円筒又は角筒であり、内管１２も外管１１に合わせた鋼製の円筒又は角筒である。
【００５５】
掘削孔内に根固め液を充填し終わった直後に充填物を採取するには、油圧シリンダ機構２７を作動させ、シリンダ２７ａからロッド２７ｂを突出させれば、採取装置１０の内管１２はロッド２７ｂに連動して外管１１から突出し、窓孔１２ａが露出する。
【００５６】
そのまま拡大ヘッド１を孔内で正転（拡大掘削時と同一の回転）させることで、孔内にある充填物の土中試料が窓孔１２ａから内管１２内に取り込まれる。
【００５７】
油圧シリンダ機構２７を縮小させ、シリンダ２７ａにロッド２７ｂを収納させれば、ロッド２７ｂの縮径に連動して内管１２が外管１１内に収納される。
【００５８】
この状態で拡大ヘッド１を地上に引き上げることにより採取した土中試料を内管１２内に密閉保持したまま他場所の充填物、不純物等と混ざることなく回収することができる。採取した土中試料は蓋体１４を開けることにより容易に取り出せる。
【００５９】
なお、根固め液の充填後に、拡大根固め球根１０３における異なった複数の箇所から未硬化の根固め液を採取する場合は、本発明の採取装置を設けた大きさの異なる種々の拡大ヘッドと従来の採取装置を適宜組み合わせて採取すればよい。採取した根固め液は、圧縮強度試験、その他の試験を行い、強度、品質等を確認する。
【図面の簡単な説明】
【００６０】
【図１】本発明の土中試料の採取装置の１実施形態を示す縦断側面図である。
【図２】図１のＡ−Ａ線矢視図である。
【図３】内管の断面図である。
【図４】本発明の土中試料の採取装置の１実施形態を示す側面図である。
【図５】本発明の土中試料の採取装置の１実施形態を示す平面図である。
【図６】本発明の土中試料の採取装置の横断平面図である。
【図７】オーガの全体図である。
【図８】本発明の土中試料の採取方法の工程説明図である。
【図９】従来の採取装置を拡大ヘッドの本体部分に取り付けた例を示したものであり、(a)はその平面図、(b)はその正面図、(c)はその側面図である。
【図１０】従来の採取装置における二重管構造の詳細を示す断面図である。
【図１１】従来の土中試料の採取方法の工程例を示す断面図である。
【符号の説明】
【００６１】
１…拡大ヘッド              ２…軸部
３…拡径翼                  ４…掘削刃
４ａ…先端ビット            ５…スパイラル翼
６…油圧シリンダ機構        ６ａ…シリンダ
６ｂ…ロッド                ６ｃ…掘削爪
７…雄継手                  ８…取り付け板
１０…採取装置              １１…外管
１２…内管                  １２ａ…窓孔
１３…連結アーム            １４…蓋体
１５…弁付き窓孔（土中試料採取口）
１６…弁                    １７…コイルバネ
１８…取り付け金具          １９…支持台
２０…外筒                  ２１…ピストン
２２…拡径翼                ２２ａ…拡大アーム
２２ｂ…ビット              ２２ｃ…カム部
２３…取付ブラケット        ２４…係合凹部
２５ａ…縮小油圧ポートライン
２５ｂ…拡大油圧ポートライン
２７…油圧シリンダ機構
２７ａ…シリンダ            ２７ｂ…ロッド
２８…スパイラル翼          ２８ａ…上下端縁
３０…配管                  ３１…吐出口
１０１…杭孔                １０２…アースオーガ
１０３…拡大根固め球根      １０４…根固め液
１０５…ロッド              １０６…杭
１０７…三点機              １０８…リーダー
１０９…駆動機（オーガ）    １１０…油圧スイベル（４ライン）
１１１…スクリュー軸
【図１】
0005791526.tif 000002
【図２】
0005791526.tif 000003
【図３】
0005791526.tif 000004
【図４】
0005791526.tif 000005
【図５】
0005791526.tif 000006
【図６】
0005791526.tif 000007
【図７】
0005791526.tif 000008
【図８】
0005791526.tif 000009
【図９】
0005791526.tif 000010
【図１０】
0005791526.tif 000011
【図１１】
0005791526.tif 000012